(57)【要約】【課題】  複数枚組の未収納ディスクをディスクチェンジャへ収納するときの作業工数を減らし、ディスク管理の効率を向上させる。【解決手段】  複数のディスクが収納され、選択されたディスクの情報を再生可能なディスクチェンジャ１０と、ディスクチェンジャ１０に収納可能な登録済みディスクのリストをデータベース内に含み、登録済みディスクの収納を管理制御する制御端末２０と、を有するメディア（ディスク）収納装置であり、制御端末２０は、登録済みディスクのうち、複数枚組のディスクを一括して収納する要求にもとづき、該複数枚組のディスクの収納処理を順次連続して実行させる。【選択図】図１
2005285180.tif 000002
【特許請求の範囲】
【請求項１】
複数のメディアが収納され、選択されたメディアの情報を再生可能なメディアチェンジャと、
前記メディアチェンジャに収納可能な登録済みメディアのリストをデータベース内に含み、前記登録済みメディアの収納を管理制御する制御端末と、
を有するメディア収納装置であって、
前記制御端末は、前記登録済みメディアのうち、複数枚組のメディアを一括して収納する要求にもとづき、該複数枚組のメディアの収納処理を順次連続して実行させることを特徴とするメディア収納装置。
【請求項２】
前記制御端末が、
選択された複数枚組のメディアのうち、未だメディアチェンジャに収納されていない未収納メディアがあるか否かを検索する検索手段と、
前記未収納メディアがある場合には、収納する順番が決定される収納決定手段と、
前記未収納メディアが収納部に収納されると、収納されたメディア収納棚の位置情報をデータベースに書き込む位置情報書込手段と、
を有することを特徴とする請求項１に記載のメディア収納装置。
【請求項３】
前記制御端末は、複数枚組のメディアの収納処理を順次連続して実行しているときに、実行中の収納処理が何枚目のメディアであるかを報知する報知手段を有することを特徴とする請求項１又は２に記載のメディア収納装置。
【請求項４】
前記メディアチェンジャおよび前記制御端末は、一体構造であることを特徴とする請求項１〜３のいずれかに記載のメディア収納装置。
【請求項５】
前記メディアは情報が記録されたディスクであることを特徴とする請求項１〜４のいずれかに記載のメディア収納装置。
【請求項６】
前記ディスクは、ＤＶＤ−Ｖｉｄｅｏディスク、音楽ＣＤ、ビデオＣＤ、ＣＤ−ＲＯＭ、ＤＶＤ−ＲＯＭの少なくとも一つであることを特徴とする請求項５に記載のメディア収納装置。
【請求項７】
請求項１〜６のいずれかに記載のメディア収納装置を備えたことを特徴とするメディア閲覧システム。
【請求項８】
複数のメディアが収納され、選択されたメディアの情報を再生可能なメディアチェンジャに収納可能な登録済みメディアのうち、複数枚組のメディアを一括して収納する方法であって、
表示された前記登録済みメディアのリストの一覧表示画面の中から、前記メディアチェンジャに収納する所望の複数枚組のメディアを選択するステップと、
選択された複数枚組のメディアのうち、未だ前記メディアチェンジャに収納されていない未収納メディアがあるか否かを検索する検索ステップと、
前記未収納メディアがある場合に、収納する順番を決定する収納決定ステップと、
前記未収納メディアが収納部に収納されると、収納されたメディア収納棚の位置情報をデータベースに書き込む位置情報書込ステップと、
を含むことにより、前記複数枚組のメディアの収納処理を順次連続して実行することを特徴とするメディア収納方法。
【請求項９】
複数のメディアが収納され、選択されたメディアの情報を再生可能なメディアチェンジャに収納可能な登録済みメディアのうち、複数枚組のメディアを一括して収納する手順を、コンピュータに実現させるプログラムであって、
表示された前記登録済みメディアのリストの一覧表示画面の中から、メディアチェンジャに収納する所望の複数枚組のメディアを選択する機能と、
選択された複数枚組のメディアのうち、未だメディアチェンジャに収納されていない未収納メディアがあるか否かを検索する検索機能と、
選択された複数枚組のメディアの中に、前記未収納メディアがある場合には、収納する順番が決定される収納決定機能と、
前記未収納メディアが収納部に収納されると、収納されたメディア収納棚の位置情報をデータベースに書き込む位置情報書込機能と、
を含むことを特徴とするメディア収納プログラム。
【請求項１０】
請求項９に記載のメディア収納プログラムが記録されたことを特徴とする記録媒体。
【発明の詳細な説明】
【技術分野】
【０００１】
本発明は、メディアをメディアチェンジャに収納するためのメディア収納装置、メディア収納装置を備えたメディア閲覧システム、メディア収納方法、メディア収納プログラムおよび該メディア収納プログラムが記録された記録媒体に関する。
【背景技術】
【０００２】
従来から、図書館、美術館、博物館等の公共施設には、映像情報や音声情報等を記録したＤＶＤ−Ｖｉｄｅｏディスク、音楽ＣＤ、ビデオＣＤ、ＣＤ−ＲＯＭ、ＤＶＤ−ＲＯＭ等のディスク、あるいはカセットテープ、ビデオテープ等のメディアを閲覧できるメディア閲覧システムが設置されている。このようなメディア閲覧システムでは、そのメディア収納装置として、例えば多数のディスク（メディア）の中から選択した一つを再生して閲覧可能とするため、複数のディスクの管理、操作が可能なディスクチェンジャが用いられている（例えば、特許文献１参照）。
【０００３】
このディスクチェンジャは、複数のディスクをストッカ（メディア収納部）内に格納し、これらの格納された複数枚のディスクの中から特定のディスクを選択して再生可能とするものである。
また、メディア閲覧システムでは、ディスクの管理運用のため、施設が保有しているディスクはデータベースに登録されている。
【０００４】
メディア閲覧システムにおいては、ディスクチェンジャを新規に備えたとき、装置のメインテナンスや交換、新しく購入したディスクの追加や古いディスクとの交換、ディスクの貸し出しや返却、などの場合に、ディスクチェンジャ内へのディスクの収納あるいは取り出しの作業が必要である。
【０００５】
図１は、このような従来のメディア閲覧システムにおけるディスクの収納手順を示すフローチャートである。
このメディア閲覧システムは、複数のメディアであるディスクが収納されて、選択されたディスクの情報を再生可能なディスクチェンジャ（メディアチェンジャ）１０と、このディスクチェンジャ１０に対するメディアの収納を管理制御する制御端末（図示せず）とから構成されている。
【０００６】
まず、ディスクをディスクチェンジャ１０に収納するにあたって、制御端末では、施設が保有しデータベースに登録してあるディスクのうち、ディスクチェンジャ１０に収納可能な登録済みディスクのリストを取得する（ステップＳ１１）。
【０００７】
また、この取得した登録済みディスクの一覧を制御端末に画面表示させる（ステップＳ１２）。作業者は、画面表示された一覧の中からディスクチェンジャ１０に収納したい一枚のディスクを選択して、その収納を要求する（ステップＳ１３）。
【０００８】
この要求により、チェンジャ制御プログラムのもとで、ディスクチェンジャ１０に備えられたディスクトレイ１２がオープンとなり（ステップＳ１４）、そのディスクトレイ１２上に選択したディスクを載せて、ディスクトレイ１２を閉じる。
【０００９】
正しくディスクがディスクトレイ１２に収納された場合には（ステップＳ１５）、チェンジャ制御プログラムはデータベースに関連情報を書き込み、収納完了の処理を実行する（ステップＳ１６）。
【００１０】
なお、ディスクがディスクトレイ１２に載っていない場合は、収納未完了の処理を実行する（ステップＳ１７）。
【特許文献１】特開２００２‐２４５７０５号公報
【発明の開示】
【発明が解決しようとする課題】
【００１１】
ところで、メディア閲覧システムにおいて、ディスクチェンジャに収納されるディスク（メディア）には、ＸＸ全集（第１巻〜第Ｎ巻のディスクからなる）などのような複数枚組（例えば、セット物や組み物など）のものが含まれる場合が多々ある。
上記従来のメディア閲覧システムでは、ディスクチェンジャに対して、このような複数枚組のディスクを収納する場合であっても、第１巻から第Ｎ巻に至るまで、各巻のディスク一枚毎に、図１に示した手順で収納を繰り返す必要があった。
【００１２】
即ち、第１巻のディスク（１枚目の未収納ディスク）を一覧表示画面の登録済みディスクのリストから選択して、上記一連の作業を行い、この第１巻のディスク収納が完了した後、再度、一覧表示画面を開いて、今度は第２巻のディスク（２枚目の未収納ディスク）を登録済みディスクのリストから選択し、再びステップＳ１３のディスク収納要求以下の作業を繰り返す。
【００１３】
このように、複数枚組のディスクであっても、ディスクチェンジャへの収納は、１枚１１枚別々に収納作業を繰り返す必要がある。特に、多数のディスクによって構成されたセット物や組み物などの複数枚組のディスクを収納しなければならない場合には、上記の繰り返し作業が煩わしく、ディスクを収納する作業効率が悪化する。特に、ディスクチェンジャと制御端末が離れて設置された場合には、さらに作業効率が悪化する。
【００１４】
本発明が解決しようとする課題としては、上述した従来技術において生じている、メディア閲覧システムにおいて、複数枚組の未収納ディスクをディスクチェンジャへ収納する繰り返し作業が煩わしく、収納作業の効率が悪化するという問題の解決が一例として挙げられる。
【課題を解決するための手段】
【００１５】
請求項１に記載のメディア収納装置は、複数のメディアが収納され、選択されたメディアの情報を再生可能なメディアチェンジャと、前記メディアチェンジャに収納可能な登録済みメディアのリストをデータベース内に含み、前記登録済みメディアの収納を管理制御する制御端末と、を有するメディア収納装置であって、前記制御端末は、前記登録済みメディアのうち、複数枚組のメディアを一括して収納する要求にもとづき、該複数枚組のメディアの収納処理を順次連続して実行させることを特徴とする。
【００１６】
請求項７に記載のメディア閲覧システムは、請求項１〜６のいずれかに記載のメディア収納装置を備えたことを特徴とする。
【００１７】
請求項８に記載のメディア収納方法は、複数のメディアが収納され、選択されたメディアの情報を再生可能なメディアチェンジャに収納可能な登録済みメディアのうち、複数枚組のメディアを一括して収納する方法であって、表示された前記登録済みメディアのリストの一覧表示画面の中から、前記メディアチェンジャに収納する所望の複数枚組のメディアを選択するステップと、選択された複数枚組のメディアのうち、未だ前記メディアチェンジャに収納されていない未収納メディアがあるか否かを検索する検索ステップと、前記未収納メディアがある場合に、収納する順番を決定する収納決定ステップと、前記未収納メディアが収納部に収納されると、収納されたメディア収納棚の位置情報をデータベースに書き込む位置情報書込ステップと、を含むことにより、前記複数枚組のメディアの収納処理を順次連続して実行することを特徴とする。
【００１８】
請求項９に記載のメディア収納プログラムは、複数のメディアが収納され、選択されたメディアの情報を再生可能なメディアチェンジャに収納可能な登録済みメディアのうち、複数枚組のメディアを一括して収納する手順を、コンピュータに実現させるプログラムであって、表示された前記登録済みメディアのリストの一覧表示画面の中から、メディアチェンジャに収納する所望の複数枚組のメディアを選択する機能と、選択された複数枚組のメディアのうち、未だメディアチェンジャに収納されていない未収納メディアがあるか否かを検索する検索機能と、選択された複数枚組のメディアの中に、前記未収納メディアがある場合には、収納する順番が決定される収納決定機能と、前記未収納メディアが収納部に収納されると、収納されたメディア収納棚の位置情報をデータベースに書き込む位置情報書込機能と、を含むことを特徴とする。
【００１９】
請求項１０に記載の記録媒体は、請求項９に記載のメディア収納プログラムが記録されたことを特徴とする。
【発明を実施するための最良の形態】
【００２０】
以下、本発明の実施の形態について、図面を参照して説明する。
本発明の実施の形態に係るメディア収納装置は、例えば、図書館、美術館、博物館等の公共施設などに設置されるメディア閲覧システム等に使用されるものである。
このメディア閲覧システムにおいて閲覧する、映像や音声や文字データなどの情報を記録したＤＶＤ−Ｖｉｄｅｏディスク、音楽ＣＤ、ビデオＣＤ、ＣＤ−ＲＯＭ、ＤＶＤ−ＲＯＭ等のディスクを収納するメディア収納装置として、例えば多数のディスク（メディア）の中から選択した一つを再生して閲覧可能とするため、複数のディスクの管理、操作が可能なディスクチェンジャが用いられる。
このディスクチェンジャは、複数のディスクをストッカ（ディスク収納部）内に格納し、これらの格納された複数枚のディスクの中から特定のディスクを選択して再生可能である。
【００２１】
図２は、本実施の形態におけるメディア収納装置を示す構成図である。
図２に示すように、ディスクチェンジャ（メディアチェンジャ）１０は、例えば、ＳＣＳＩインターフェース等を介して、作業者が操作する制御端末２０に接続されている。
【００２２】
ディスクチェンジャ１０は、情報が記録された複数枚のディスク（メディア）をストッカ（ディスク収納部）１４のディスク収納棚１４ａに収納し、選択されたディスクを図示しないディスク搬送装置により、ディスクドライブ装置１３に搬送して、情報の再生を行うものである。
【００２３】
また、このディスクチェンジャ１０は制御部１１を有し、この制御部１１は、ディスクトレイ（ディスク挿入部）１２から挿入されたディスクの出し入れ、ディスクのディスクドライブ装置１３へのマウントや駆動を制御する。
【００２４】
制御端末２０は、ディスクチェンジャ１０に収納可能な登録済みディスクのリストを持ち、この登録済みディスクの一覧表示を表示部２１に行い、この一覧表示を参照して、ディスクチェンジャ１０に収納するディスクの選択と、ディスクチェンジャ１０に対する未収納ディスクの収納要求を指示する。
【００２５】
また、この制御端末２０は、収納要求にもとづき、チェンジャ制御プログラムに従って、ディスクチェンジャ１０への未収納ディスクの収納を制御する。
【００２６】
次に、図３のフローチャートを参照して、本実施の形態によるディスク（メディア）収納方法の手順を説明する。
図３において、３１は複数枚組の未収納ディスクの収納要求から収納するディスクの決定までの手順を示し、３２はディスクの収納確認から収納完了までの手順を示す。
【００２７】
予め、ディスクチェンジャ１０に収納可能な登録済みディスクのリストを作成し、これを制御端末２０のデータベースに格納しておく（ステップＳ２１）。
この登録済みディスクは、例えば、メディア閲覧システムにおいて、閲覧者が検索して閲覧することができるように、ディスクのタイトル情報（例えば、映画の場合には、題名、監督、原作者、出演者等の情報）などが予め登録してあるもの等である。
【００２８】
そして、複数枚組の未収納ディスクを収納する際に、先ず、作業者は、制御端末２０に対し、ディスクチェンジャ１０に収納可能な登録済みディスクのリストを要求する（ステップＳ２２）。
【００２９】
この要求に応じて制御端末２０の表示部２１に、データベースに登録されたディスクのうち、ディスクチェンジャ１０に収納可能な登録済みディスクの一覧表示画面が表示される（ステップＳ２３）。
【００３０】
次に、作業者は、表示された登録済みディスクの一覧表示画面の中から、ディスクチェンジャ１０に収納したい任意の複数枚組（例えば、ＸＸ全集などのセットや組み物等）のディスクを選択し、これらの収納要求をする（ステップＳ２４）。
【００３１】
ここで、選択された複数枚組のディスクのうち、未だディスクチェンジャ１０に収納されていないディスク（未収納ディスク）があるか否かが検索される（ステップＳ２５）。
【００３２】
選択された複数枚組のディスクが既にディスクチェンジャ１０に、その全ての枚数が
収納されている場合（ＮＯ）は、再びステップＳ２３の登録済みディスクの一覧表示画面に戻る。
【００３３】
一方、選択された複数枚組のディスクのうち１枚以上、未収納ディスクがある場合（ＹＥＳ）には、収納が決定される（ステップＳ２６）。ここで、複数枚の未収納ディスクがある場合は、収納する順番も同時に決定される。
【００３４】
例えば、第１巻〜第Ｎ巻のディスクからなるＸＸ全集のディスクを全て収納する場合、  第１巻、第２巻、・・・・、第Ｎ巻の順番で収納するように順番が決定される。そして、この決定された順番に従って、複数枚のディスクを順次連続して収納することができる。
【００３５】
次に、制御端末２０は、所定の制御プログラムに従って、収納が決定されたディスクを収納するためにディスクトレイ１２を開かせる（ディスクトレイオープン）（ステップＳ２７）。
【００３６】
そこで、作業者は１枚目（ＸＸ全集の第１巻）のディスクをディスクトレイに載せ、ディスクトレイを閉じる。
これにより、ディスクは、図示しないディスク搬送装置によって、ストッカ１４の空いているディスク収納棚１４ａの一つに収納される。
【００３７】
次に、制御プログラムは、そのディスクがストッカ１４に正しく収納されたか否かを調べる（ステップＳ２８）。
【００３８】
ディスクがストッカ１４に、正しく収納されたことを制御プログラムが確認すると、制御端末２０は、１枚目のディスクが収納されたディスク収納棚１４ａの位置情報をデータベースに書き込む（ステップＳ２９）。こうして、１枚目（ＸＸ全集の第１巻）のディスクの収納が完了する。
【００３９】
また、２枚目（ＸＸ全集の第２巻）以降のディスクについては、ステップＳ２５以下の処理を再び開始し、Ｎ枚目（ＸＸ全集の第２巻）のディスクの収納が完了するまで、上記一連の手順を繰り返す。
【００４０】
一方、ステップＳ２８において、ディスクをディスクトレイに載せずにディスクトレイを閉めた場合や間違ったディスクを載せてしまった場合などのため、ディスクがストッカ１４に正しく収納されていなかった場合は、再度ディスクトレイを開くか否かを決める（ステップＳ３０）。
【００４１】
このとき、指定された番号のディスクが無いなどの理由で順番をとばして次のディスクの挿入を行うために、ディスクをディスクトレイに載せずにディスクトレイを閉めた場合などは、ディスクトレイを再び開かせずに、そのまま完了処理を行う（ステップＳ３１）。この場合の完了処理は、ディスクが収納されないので、当然、ディスク収納棚１４ａの位置情報をデータベースに書き込む処理は無い。
【００４２】
また、操作を誤ってディスクをディスクトレイに載せなかった場合や間違ったディスクを載せてしまった場合などは、ディスクトレイを再び開かせ（ステップＳ２７）、再びディスクの収納を可能にする。
上記ステップＳ３０で再度ディスクトレイを開くか否かは、表示部の表示画面に選択ボタンを表示して作業者に選択させる等により行う。
【００４３】
このようにして、収納が決定されたすべてのディスクの収納制御を実行し、収納が完了した場合には（ステップＳ２５）、ステップＳ２５以下の処理に戻り、２枚目（ＸＸ全集の第２巻）以降のディスクについて、ステップＳ２５以下の処理を再び開始する。
そして、上記一連の手順を繰り返し、Ｎ枚目（ＸＸ全集の第Ｎ巻）のディスクの収納が完了すると、未収納のディスクがなくなるので、ステップＳ２３の登録済みディスクの一覧表示画面に戻る。
【００４４】
図４は、ディスクチェンジャ１０と制御端末２０とを一体化した実施の形態の変形例によるディスク収納装置を示すブロック図である。
【００４５】
このディスク収納装置は制御端末２０内に、ディスクトレイ１２やストッカ１４を持ったディスクチェンジャ１０と、このディスクチェンジャ１０を制御プログラムによって制御する制御部１１と、表示部２１とを設置している。
【００４６】
これにより、ディスク収納装置全体のコンパクト化を実現できる。
なお、複数枚組の未収納ディスクをディスクチェンジャへ収納するまでの手順は、図３で説明した通りである。
【００４７】
次に、本実施の形態における収納装置を使用して、複数枚組の未収納ディスクをディスクチェンジャへ収納する手順の一具体例を挙げて説明する。
図５は、図３の複数枚組の未収納ディスクをディスクチェンジャへ収納するまでの手順における表示画面による案内表示の一例を示す表示画面の遷移図である。
【００４８】
まず、制御端末２０上で、作業者は、複数枚組のディスク（例えば、第１巻〜第Ｎ巻のディスクからなるＸＸ全集のディスク）に対して、収納要求を行う。
【００４９】
そして、上記収納要求に応じて、図５に示すように、制御端末２０における表示部２１の表示画面Ｄ１に示すように、「以下の、ディスクを収納しますか？、１：ＸＸ全集の第１巻（ＤＶＤ）、（１枚目／Ｎ枚組）」と表示される。これにより、作業者に現在、何枚目のディスクを収納処理中であるかを報知することができる。すなわち、表示部２１の表示画面Ｄ１は作業者への報知手段である。
【００５０】
作業者は、この表示画面Ｄ１メッセージに従って、「収納する」ボタンをクリックしてからディスクチェンジャ１０のディスクトレイ１２に１枚目（ＸＸ全集の第１巻）のディスクを載せる。
【００５１】
そして、作業者が、ディスクトレイ１２を閉じることにより、１枚目のディスクがストッカ１４の空いているディスク収納棚１４ａへ収納される。このとき、１枚目のディスクの位置情報（どのディスク収納棚１４ａに収納されたか）がデータベースに書き込まれる。
【００５２】
この１枚目のディスクの収納処理が完了すると、表示部２１には、「以下のディスクの収納が完了しました。１：ＸＸ全集の第１巻（ＤＶＤ）、（１枚目／Ｎ枚組）」との収納完了メッセージ（表示画面Ｄ２）が表示される。
【００５３】
この収納完了メッセージの表示が所定時間行われた後、表示部２１の画面が変わり、表示画面Ｄ３に示すように、「以下の、ディスクを収納してください。２：ＸＸ全集の第２巻（ＤＶＤ）、（２枚目／Ｎ枚組）」と表示される。
【００５４】
この表示画面Ｄ３のメッセージに従って、作業者は、ディスクチェンジャ１０のディスクトレイ１２に２枚目（ＸＸ全集の第２巻）のディスクを載せる。そして、ディスクトレイ１２を閉じることにより、２枚目のディスクがストッカ１４の空いているディスク収納棚１４ａへ収納され、２枚目のディスクの位置情報がデータベースに書き込まれる。
なお、上記表示画面Ｄ３には、表示画面Ｄ１にある「収納する」ボタンは表示されない。
【００５５】
この２枚目のディスクの収納処理が完了すると、表示部２１には、「以下のディスクの収納が完了しました。２：ＸＸ全集の第２巻（ＤＶＤ）、（２枚目／Ｎ枚組）」との収納完了メッセージ（表示画面Ｄ４）が表示される。
【００５６】
さらに、３枚目以降は、上記２枚目の収納と同様の手順を繰り返し、最後のディスクであるＮ枚目（ＸＸ全集の第Ｎ巻）のディスクがディスクチェンジャ１０に収納されると、表示部２１には「以下のディスクの収納が完了しました。Ｎ：ＸＸ全集の第Ｎ巻（ＤＶＤ）、（Ｎ枚目／Ｎ枚組）」と表示（表示画面Ｄ５）が行われ、これで複数枚組（ＸＸ全集の全巻）のディスクのディスクチェンジャ１０への収納が全て完了する。
【００５７】
なお、表示画面の表示とともに、例えば、「ＸＸ全集の（タイトル名）の第２巻のディスクを収納してください。」あるいは、「品番００１の３枚目のディスクを収納してください。」などと、図示しないスピーカ装置等から音声で作業者に報知してもよい（または、表示画面の表示を行わず、音声のみで報知してもよい）。
【００５８】
また、ディスク収納手順の途中で、例えば、ディスクの収納順序を間違えた場合や、操作ミスについて注意を喚起する場合に、図示しないスピーカ装置等からの音声メッセージや警報音の出力、あるいは、表示部２１への警報メッセージの表示などをしてもよい。
【００５９】
なお、ディスクをディスクチェンジャ１０に挿入あるいは取り出すためのディスク挿入部は、ディスクをその上に載置するディスクトレイ方式のもので説明したが、このディスク挿入部としては、直接ディスクを挿入するスロットイン方式やキャディにディスクを入れて挿入するキャディ方式など他の方式でもよい。
【００６０】
以上に述べた本発明の実施の形態では、収納するメディアはＣＤ，ＭＤ，ＤＶＤ‐Ｖｉｄｅｏディスク、ＣＤ‐ＲＯＭ等の「ディスク」に適用することができるが、本発明は、収納するメディアとしては、「ディスク」に限定されるものではなく、「ディスク」以外の形状、構造を有する他の記録媒体（メディア）でもよく、これらのメディアを複数収納することができるメディアチェンジャにも適用することができる。例えば、収納するメディアは、ビデオテープ、メモリカードなどでもよい。
【００６１】
さらに、本発明は、既にメディアチェンジャ（ディスクチェンジャ）に収納されている複数枚組のメディア（ディスク）を外に取り出す操作、すなわち、メディアの取り出し（排出）にも応用することができ、この場合には、複数枚組のディスクを取り出す際の作業効率を向上させることもできる。
【００６２】
また、上記の実施の形態では、複数枚組のディスクを組物やセット物として製作されたディスクを例に説明したが、これに限らず、複数枚組の組み合わせは、任意のディスクを組み合わせて選択することもできる。
つまり、互いに全く関連のないディスクであっても、これらを一括して収納させるべく、前述のステップＳ２４において、表示された一覧表示画面の中から、ディスクチェンジャ１０に収納したい任意の複数のディスクを纏めて選択することにより、これらを纏めてメディアチェンジャのストッカに順次収納することができる。
【００６３】
さらに、ディスクの収納位置はデータベース管理プログラムにより管理されているため、複数枚組のディスクは、必ずしも連続した位置に収納されている必要はなく、空いている任意のディスク収納棚１４ａ（ディスク収納位置）に収納することができる。
【００６４】
以上、詳述したように、本実施の形態におけるメディア（ディスク）収納装置は、複数のディスクが収納され、選択されたディスクの情報を再生可能なディスクチェンジャ１０と、ディスクチェンジャ１０に収納可能な登録済みディスクのリストをデータベース内に含み、登録済みディスクの収納を管理制御する制御端末２０と、を有するディスク（メディア）収納装置であり、制御端末２０は、登録済みディスクのうち、複数枚組のディスクを一括して収納する要求にもとづき、該複数枚組のディスクの収納処理を順次連続して実行させるものである。
【００６５】
これにより、多数のディスクで構成された複数枚組のディスクであっても、簡単な操作で、多数のディスクの収納を実施できる。従って、ディスク管理のために、これまで必要とされた煩わしい作業工数を削減でき、ディスク管理の効率を向上させることができる。
【図面の簡単な説明】
【００６６】
【図１】従来のメディア閲覧システムにおけるディスク収納手順を示すフローチャートである。
【図２】本発明の実施の形態によるメディア収納装置を示す構成図である。
【図３】図２における制御端末によるディスク収納制御手順を示すフローチャートである。
【図４】本発明のメディア収納装置の変形例を示す構成図である。
【図５】図３の手順における表示画面による具体的な案内表示の一例を示す表示画面の遷移図である。
【符号の説明】
【００６７】
１０  ディスクチェンジャ（メディアチェンジャ）
１１  制御部
１２  ディスクトレイ（ディスク挿入部）
１３  ディスクドライブ装置
１４  ストッカ（ディスク収納部）
１４ａ  ディスク収納棚
２０  制御端末
２１  表示部（報知手段）
【図１】
2005285180.tif 000003
【図２】
2005285180.tif 000004
【図３】
2005285180.tif 000005
【図４】
2005285180.tif 000006
【図５】
2005285180.tif 000007